(57)【特許請求の範囲】
【請求項１】
間隙を介して隣接する躯体間を被閉し、一方の躯体側にのみ固定してある躯体継手装置であって、間隙を被閉するカバー材と、スライド係合受部を備え、カバー材を下側から支持するホルダー材と、台座部材と、掛止腕部の両側基端部にコイル状に巻いたバネ部を有し、該バネ部の基端側に固定腕部を備えた水平付勢部材とを有してなり、
前記一方の躯体に台座部材及び水平付勢部材の固定腕部を固定し、当該台座部材にホルダー材の一側を回動可能に取付け、当該ホルダー材にカバー材を重ねてカバー材とホルダー材とが一体的に回動動作し得るように連結すると共に、ホルダー材のスライド係合受部に前記水平付勢部材の掛止腕部をスライド可能に係合してホルダー材及びカバー材を水平付勢させてなる構成を有する躯体継手装置。
【発明の詳細な説明】
【０００１】
【発明の属する技術分野】
本発明は、間隙を介して隣接する建造物（躯体）間を連結する躯体継手装置であって、特に地震などによる躯体変動を吸収するエキスパンンションジョイント機能を備えた躯体継手装置に関する。
【０００２】
【従来の技術】
この種の躯体継手装置としては従来から各種のものが開発されている。例えば図１０に示すように、間隙を充分に被覆し得るカバー材５１と、当該カバー材５１を下側から支持するホルダー材５２と、当該ホルダー材５２を躯体Ｂに対して垂直上下方向（以下「Ｚ方向」という。）回動可能に軸着する台座部材５３と、ホルダー材５２を下向付勢させるト−ションバネ部材５４とからなり、前記カバー材５１とホルダー材５２とを躯体間隙Ｃ上において連結部材５５で連結した躯体継手装置５０が使用されている。
【０００３】
この躯体継手装置５０は、隣接する躯体Ａ，Ｂが相対的にＺ方向に変動しても、躯体間隙奥行方向、言い換えれば躯体壁面に沿った方向（以下「Ｙ方向」という。）に変動しても、また躯体間隙幅（短手）方向、言い換えれば隣接する躯体壁面が対面する方向（以下「Ｘ方向」という。）に変動しても追随してかかる躯体変動を吸収することができる。
【０００４】
【発明が解決しようとする課題】
しかしながら、従来のこの種の躯体継手装置５０は、図１０に２点鎖線で示すように、特に大きな間隙Ｃを隔てて隣接する躯体Ａ，Ｂ間に設置した場合において、大地震によって躯体がＺ方向に大きく変動したとすると、カバー材５１とホルダー材５２との連結部分が大きく広がって連結部材５５ではこれを吸収できなくなり、カバー材５１乃至ホルダー材５２が変形したり、ホルダー材５２の軸着部が破壊したり、或いはカバー材５１が落下するおそれすらあった。
【０００５】
そこで本発明は、かかる従来の課題を解決すべく、隣接する躯体が例えばＺ方向に大きく変動したとしても、無理なく追随してこれを吸収することができる躯体継手装置を提供せんとする。
【０００６】
【課題を解決するための手段】
かかる課題を解決するため、本発明は、間隙を介して隣接する躯体間を被閉し、一方の躯体側にのみ固定してある躯体継手装置であって、間隙を被閉するカバー材と、スライド係合受部を備え、カバー材を下側から支持するホルダー材と、台座部材と、掛止腕部の両側基端部にコイル状に巻いたバネ部を有し、該バネ部の基端側に固定腕部を備えた水平付勢部材とを有してなり、前記一方の躯体に台座部材及び水平付勢部材の固定腕部を固定し、当該台座部材にホルダー材の一側を回動可能に取付け、当該ホルダー材にカバー材を重ねてカバー材とホルダー材とが一体的に回動動作し得るように連結すると共に、ホルダー材のスライド係合受部に前記水平付勢部材の掛止腕部をスライド可能に係合してホルダー材及びカバー材を水平付勢させてなる構成を有する躯体継手装置を構成することとした。
【０００７】
本発明の躯体継手装置によれば、ホルダー材とカバー材とが一体的に回動動作するから、隣接する躯体が相対的にＺ方向、若しくは隣接躯体の上面、壁間に設置する場合にＹ方向に大きく変動したとしても、従来のようにホルダー材とカバー材との連結部分が広がることがなく、無理なく追随してかかる躯体変動を吸収できる。しかも水平付勢部材によってこれらホルダー材及びカバー材は水平方向に付勢されるから、たとえ躯体が上下に往復変動したとしてもこれに追随することができる。また、ホルダー材にスライド係合受部を形成してここに水平付勢部材の掛止腕部分をスライド可能に係合させるようにしてあるから、水平付勢部材の係合によってホルダー材及びカバー材の動作が妨げられることもない。
【０００８】
【発明の実施の形態】
以下、本発明の実施の形態を実施例に基づいて説明する。
【０００９】
躯体継手装置１は、図１に示すように、長尺な間隙Ｃを介して隣接する躯体Ａ，Ｂの上面Ｄ，Ｅ間を連結する継手装置であって、上面Ｄ，Ｅを跨いで躯体間隙Ｃを被閉するカバー材２と、このカバー材２を下側から支持するホルダー材３と、これらカバー材２及びホルダー材３をＺ方向若しくはＹ方向回動可能に支持する台座部材４と、カバー材２及びホルダー材３を水平付勢状態とする水平付勢部材５とから構成してある。
【００１０】
カバー材２は、躯体間隙Ｃの短手幅よりも長い短手幅と間隙Ｃに沿って長尺な長手幅とを有する上面部２ａの短手方向両側縁に沿って側面部２ｂ、２ｂを垂下し、これら側面部２ｂ、２ｂの下端縁部の下側にはゴムなどの弾性部材からなるガスケット６，６を添設してある。
【００１１】
ホルダー材３は、図２に示すように、躯体間隙Ｃの短手幅よりは長くかつカバー材２の短手幅よりは短い長手幅と適宜長さの短手幅とを有する短冊矩形状の上面部３ａの長手方向中央部付近に短手幅全幅に渡って断面凹状に陥没してなるスライド係合受部７を形成し、上面部３ａの基端部分を一段下げて適宜幅の脱落防止部材固着面部８を形成し、この脱落防止部材固着面部８に孔８ａ、８ａを穿孔し、脱落防止部材固着面部８の基端部すなわちホルダー材３の基端部を下側に折り返して断面コ字状の軸受部９を形成し、上面部３ａの先端部付近に脚部１０を下方突設して形成してある。
【００１２】
水平付勢部材５は、図３に示すように、金属製棒材又は線材を折り曲げて形成してあり、平面視コ字状に折曲形成した掛止腕部１２の両側基端部にコイル状に巻いたバネ部１３，１３を形成し、このバネ部１３，１３の基端側に連続して水平直線状に伸びた適宜長さの固定腕部１４，１４を形成し、この固定腕部１４，１４の基端を若干立ち上げてその上端部をそれぞれ内側すなわち互いに接近する方向に折曲して軸腕部１５、１５を形成して構成してある。この水平付勢部材５は、固定腕部１４，１４を水平に固定すると、掛止腕部１２は水平状態を回復する方向へ弾性を発揮するように適宜な角度（水平を維持しようとするテンション）をもって張り出すようになっている。
【００１３】
台座部材４は、図３に示すように、矩形状の固着板面１６の左右両側部分に前後両側端部に渡って、半円状に膨出し左右両側端縁部に沿って長尺な支持受部１７、１７を形成すると共に、固着板面１６の中央部にはボルト孔１８を穿孔して形成してある。
【００１４】
しかして、躯体継手装置１は、ボルト孔１８にアンカーボルト１９を打ち込んで台座部材４の固着板面１６を上面Ｅの間隙側縁に沿って固着させ、この時同時に支持受部１７、１７と上面Ｅとの間にできるトンネル状の挿通固定部１８内に固定腕部１４、１４を挿通させて水平付勢部材５も上面Ｅに固定し、掛止腕部１２を当該挿通固定部１８の一側端から間隙Ｃ上に水平を保つ適宜な角度に張り出させる。
【００１５】
次いで、ホルダー材３の軸受部９内に上記軸腕部１５、１５を装入すると共に、スライド係合受部７内に水平付勢部材５の掛止腕部１２を係合させ、孔８ａ，８ａにネジなどの杆固定部材２０、２０を螺入してその杆下端部を軸受部９の下面９ａに当接させて軸受部９から軸腕部１５、１５が外れないようにする一方、ホルダー３の脚部１０を躯体Ａの上面Ｄ上にフリーの状態（固定しない状態）に載置し、ホルダー材３を台座部材４に対してＺ方向若しくはＹ方向回動可能に取付ける。このとき、ホルダー材３は、水平付勢部材５によって水平状態を回復する方向に力を受け水平付勢された状態となっている。
【００１６】
そして、図１に示すように、ホルダー材３の基端部付近にカバー材２の基端部を位置させてホルダー材３にカバー材２を重ねて、前後適宜箇所をビス止め等の固定手段によって一体に連結し、ホルダー材３とカバー材２とがＺ方向若しくはＹ方向に同軸的に回動するように設置すれば、組み立てることができる。
【００１７】
上記構成からなる躯体継手装置１は、カバー材２及びホルダー材３を一体的にＺ方向若しくはＹ方向へ回動可能とすると共に、常に水平状態を回復する方向に力を作用させる構成としてあるから、図４（Ａ）に示すように、躯体Ｂに対して躯体Ａが大きく下降した場合或いは躯体Ｂが大きく上昇した場合であっても、ホルダー材３及びカバー材２は水平状態に保持され、また、図４（Ｂ）に示すように、躯体Ｂに対して躯体Ａが大きく上昇した場合或いは躯体Ｂが大きく下降した場合であっても、従来の如くホルダー材３とカバー材２とが離反することがなく、この躯体変動に追随して一体的に回動する。更に、ホルダー材３は水平付勢されているから、例えば躯体Ａ，Ｂが上下に繰り返し変動するような場合であってもこの変動に追随して変動することができる。しかも、ホルダー材３の回動時に水平付勢部材５の掛止腕部１２はスライド係合受部７内をＸ方向にスライドするように構成してあるから、水平付勢部材５がホルダー材３及びカバー材２の回動動作を妨げることもない。
【００１８】
更に、図５（Ａ）（Ｂ）に示すように、躯体Ａ，Ｂが互いに水平方向のいずれの方向に移動したとしても、ホルダー材３及びカバー材２の先端側（躯体Ａ）は躯体Ａに対してフリーの状態としてあるから、かかる躯体変動においてもホルダー材３及びカバー材２は変形・破壊することなくかかる躯体変動を吸収することができる。
【００１９】
このように上記構成からなる躯体継手装置１によれば、隣接する躯体がいずれの方向に変動したとしても、無理なく追随することができる。
また、躯体継手装置１における水平付勢部材５は、一本の棒材若しくは線材を加工して水平付勢部材と回転軸とを一体に形成するものであるから生産コストの軽減を図ることができる。
ただし、上述の如く水平付勢部材５に軸腕部１５、１５を一体に形成する代わりに、図６に示すように、台座部材４の固着板面１６上に適宜間隔をおいて壁部２５、２５を立設し、これら壁部２５，２５に回転軸２６を回転自在に軸止する構成とすることもできる。
【００２０】
次に、図７〜図９は、上記躯体継手装置１の変形例としての躯体継手装置３０を示したものである。
【００２１】
この躯体継手装置３０は、間隙Ｃを介して隣接する躯体Ｆの上面Ｈと，躯体Ｇにおける壁面Ｉとを連結する継手装置であって、躯体継手装置１と同様、図１に示すように、カバー材３２と、ホルダー材３３と、台座部材４と、水平付勢部材３５とから構成してある。
【００２２】
カバー材３２及びホルダー材３３は、上記カバー材２及びホルダー材３の基端部分すなわち本例で言えば躯体Ｇ側寄り部分を壁面Ｉに沿って垂直に折曲形成してあり、水平付勢部材３５は、上記水平付勢部材５におけるバネ部１３，１３と固定腕部１４，１４との間をやはり壁面Ｉに沿って略垂直に折曲して、固定腕部１４，１４を壁面Ｉに固定すると掛止腕部１２が間隙Ｃ上に水平に張り出すように形成してある。その他の点はいずれの部材も躯体継手装置１とほぼ同様に形成してある。
【００２３】
そして、この躯体継手装置３０においても、台座部材４を壁面Ｉの所定の高さに固着し、水平付勢部材３５の固定腕部１４，１４を固定して掛止腕部１２を間隙Ｃ上に水平に張り出させるほかは、上記躯体継手装置１と同様に設置することにより、図８及び図９に示すように躯体継手装置１と同様に動作し同様の効果を得ることができる。
【図面の簡単な説明】
【図１】本発明の一実施例としての躯体継手装置の一例を示した側面図である。
【図２】図１で示した躯体継手装置をカバー材を取り除いて上から見た状態の斜視図である。
【図３】図１で示した台座部材及び水平付勢部材を示した斜視図である。
【図４】図１で示した躯体継手装置の動作を説明した図であり、（Ａ）（Ｂ）いずれも躯体が上下方向に変動した場合の動作を示した側面図である。
【図５】図１で示した躯体継手装置の動作を説明した図であり、（Ａ）（Ｂ）いずれも躯体が水平方向に遠近した場合の動作を示した側面図である。
【図６】図３で示した台座部材及び水平付勢部材の変形例を示した斜視図である。
【図７】図１で示した躯体継手装置の変形例を示した側面図である。
【図８】図７で示した躯体継手装置の動作を説明した図であり、（Ａ）（Ｂ）いずれも躯体が上下方向に変動した場合の動作を示した側面図である。
【図９】図７で示した躯体継手装置の動作を説明した図であり、（Ａ）（Ｂ）いずれも躯体が水平方向に遠近した場合の動作を示した側面図である。
【図１０】従来の躯体継手装置の構成例及びその動作を示した側面図である。
【符号の説明】
１      躯体継手装置
２      カバー材
３      ホルダー材
４      台座部材
５      水平付勢部材
６      ガスケット
７      スライド係合受部
８      脱落防止部材固着面部
９      軸受部
１０    脚部
１２    掛止腕部
１３    バネ部
１４    固定腕部
１５    軸腕部
１６    固着板面
１７    支持受部
１９    アンカーボルト
２０    杆固定部材
２５    壁部
２６    回転軸
３０    躯体継手装置
３２    カバー材
３３    ホルダー材
３５    水平付勢部材
【図１】
0003866438.tif 000002
【図２】
0003866438.tif 000003
【図３】
0003866438.tif 000004
【図４】
0003866438.tif 000005
【図５】
0003866438.tif 000006
【図６】
0003866438.tif 000007
【図７】
0003866438.tif 000008
【図８】
0003866438.tif 000009
【図９】
0003866438.tif 000010
【図１０】
0003866438.tif 000011